(57)【要約】【課題】本質安全防爆が要求される危険場所において、安全に安価に使用でき、耐久性を有する防爆型非接触ＩＣカードを実現する。【解決手段】ＩＣとアンテナコイルとを有する非防爆インレットとこの非防爆インレットの両側を保護する保護板とを有する非防爆型非接触ＩＣカードと、この非防爆型非接触ＩＣカードを挟んで設けられ電磁誘導性を有し本質安全防爆構造規格を満足する帯電防止樹脂フィルムとを具備したことを特徴とする防爆型非接触ＩＣカードである。【選択図】図１
2009301155.tif 000002
【特許請求の範囲】
【請求項１】
ＩＣとアンテナコイルとを有する非防爆インレットとこの非防爆インレットの両側を保護する保護板とを有する非防爆型非接触ＩＣカードと、
この非防爆型非接触ＩＣカードを挟んで設けられ電磁誘導性を有し本質安全防爆構造規格を満足する帯電防止樹脂フィルムと
を具備したことを特徴とする防爆型非接触ＩＣカード。
【請求項２】
ＩＣとアンテナコイルとを有する非防爆インレットと、
この非防爆インレットを挟んで設けられ電磁誘導性を有し本質安全防爆構造規格を満足する帯電防止樹脂層板と
を具備したことを特徴とする防爆型非接触ＩＣカード。
【請求項３】
少なくとも一方の端縁が閉じられ非防爆型非接触ＩＣカードが挿入されて収納可能で電磁誘導性を有し本質安全防爆構造規格を満足する帯電防止樹脂からなるカードケース
を具備したことを特徴とする防爆型非接触ＩＣカード。
【請求項４】
前記帯電防止樹脂フィルムあるいは前記帯電防止樹脂層  あるいは前記カードケースは、樹脂体にカーボンが含有されていること
を特徴とする請求項１乃至請求項３の何れかに記載の防爆型非接触ＩＣカード。
【請求項５】
前記カードケースは、皮革が使用されたこと
を特徴とする請求項３記載の防爆型非接触ＩＣカード。
【発明の詳細な説明】
【技術分野】
【０００１】
本発明は、防爆型非接触ＩＣカードに関するものである。
更に詳述すれば、プラントの制御、石油化学工場等の爆発性雰囲気を生成する恐れのある現場環境での入退室管理を実現するための防爆手段を具現化できる防爆型非接触ＩＣカードに関するものである。
【背景技術】
【０００２】
防爆型非接触ＩＣカードに関連する先行技術文献としては次のようなものがある。
【０００３】
【特許文献１】特開平１１−２５０２０９号公報
【特許文献２】特開２００４−３３４６８１号公報
【０００４】
近年、不法侵入や情報漏えいを防止するため生態認証、非接触ＩＣカードを用いた入退室管理の導入が増えてきている。
図５は、非接触ＩＣカードを利用したシステム例を示す。
コントローラ２ａは、制御用通信バス１ａに接続された非接触ＩＣカードリーダ４ａより非接触ＩＣカード６ａの内部情報を読取り、入退室管理用ＰＣ３ａで管理される。
【０００５】
上記は、非危険場所Ａにおいて適用される。
更に、本質安全防爆が要求される危険場所Ｂの非接触ＩＣカードリーダには、本質安全防爆エリアで使用される防爆規格適合非接触ＩＣカードリーダ５ａが採用される。
即ち、本質安全防爆エリアに入室するには、防爆規格適合非接触ＩＣカード５ａが必要になる。
【発明の開示】
【発明が解決しようとする課題】
【０００６】
このような装置においては、以下の間題点がある。
従来の非接触ＩＣカードでは、カード表面および裏面の電気抵抗値により、本質安全防爆場所での使用はできず、一元化した入退室管理が困難である。
【０００７】
本発明の目的は、上記の課題を解決するもので、本質安全防爆が要求される危険場所において、安全に安価に使用でき、耐久性を有する防爆型非接触ＩＣカードを提供することにある。
【課題を解決するための手段】
【０００８】
このような課題を達成するために、本発明では、請求項１の防爆型非接触ＩＣカードにおいては、
ＩＣとアンテナコイルとを有する非防爆インレットとこの非防爆インレットの両側を保護する保護板とを有する非防爆型非接触ＩＣカードと、この非防爆型非接触ＩＣカードを挟んで設けられ電磁誘導性を有し本質安全防爆構造規格を満足する帯電防止樹脂フィルムとを具備したことを特徴とする。
【０００９】
本発明の請求項２の防爆型非接触ＩＣカードにおいては、
ＩＣとアンテナコイルとを有する非防爆インレットと、非防爆インレットを挟んで設けられ電磁誘導性を有し本質安全防爆構造規格を満足する帯電防止樹脂層板とを具備したことを特徴とする。
【００１０】
本発明の請求項３の防爆型非接触ＩＣカードにおいては、
少なくとも一方の端縁が閉じられ非防爆型非接触ＩＣカードが挿入されて収納可能で電磁誘導性を有し本質安全防爆構造規格を満足する帯電防止樹脂からなるカードケースを具備したことを特徴とする。
【００１１】
本発明の請求項４の防爆型非接触ＩＣカードにおいては、請求項１乃至請求項３の何れかに記載の防爆型非接触ＩＣカードにおいて、
前記帯電防止樹脂フィルムあるいは前記帯電防止樹脂層板あるいは前記カードケースは、樹脂体にカーボンが含有されていることを特徴とする。
【００１２】
本発明の請求項５の防爆型非接触ＩＣカードにおいては、請求項３記載の防爆型非接触ＩＣカードにおいて、
前記カードケースは、皮革が使用されたことを特徴とする。
【発明の効果】
【００１３】
本発明の請求項１によれば、次のような効果がある。
ＩＣとアンテナコイルとを有する非防爆インレットとこの非防爆インレットの両側を保護する保護板とを有する非防爆型非接触ＩＣカードと、この非防爆型非接触ＩＣカードを挟んで設けられ電磁誘導性を有し本質安全防爆構造規格を満足する帯電防止樹脂フィルムとが設けられたので、本質安全防爆が要求される危険場所において、安全に安価に使用できる防爆型非接触ＩＣカードが得られる。
【００１４】
市販の非接触ＩＣカードを利用しているため、さまざまな非接触ＩＣカード規格へ容易に対応でき、非接触ＩＣカードの急激な技術変化に素早く対応できる防爆型非接触ＩＣカードが得られる。
【００１５】
本発明の請求項２によれば、次のような効果がある。
ＩＣとアンテナコイルとを有する非防爆インレットと、この非防爆インレットを挟んで設けられ電磁誘導性を有し本質安全防爆構造規格を満足する帯電防止樹脂層板とが設けられたので、非防爆インレットが使用されたので、本質安全防爆が要求される危険場所において、安全に、更に安価に使用でき、カード厚さを薄く確保できる防爆型非接触ＩＣカードが得られる。
【００１６】
市販の非防爆インレットを利用しているため、さまざまな非接触ＩＣカード規格へ容易に対応でき、非接触ＩＣカードの急激な技術変化に素早く対応できる防爆型非接触ＩＣカードが得られる。
【００１７】
本発明の請求項３によれば、次のような効果がある。
少なくとも一方の端縁が閉じられ非防爆型非接触ＩＣカードが挿入されて収納可能で電磁誘導性を有し本質安全防爆構造規格を満足する帯電防止樹脂からなるカードケースが設けられたので、カードケースに非防爆型非接触ＩＣカードが挿入されれば良く、本質安全防爆が要求される危険場所において、安全に、安価に使用でき、利便性が向上された防爆型非接触ＩＣカードが得られる。
【００１８】
市販の非接触ＩＣカードを利用しているため、さまざまな非接触ＩＣカード規格へ容易に対応でき、非接触ＩＣカードの急激な技術変化に素早く対応できる防爆型非接触ＩＣカードが得られる。
【００１９】
本発明の請求項４によれば、次のような効果がある。
帯電防止樹脂フィルムあるいは帯電防止樹脂層板あるいはカードケースは、樹脂体にカーボンが含有されているので、カーボンは、良好な電磁誘導性と帯電防止性を有し、市場性を有し入手容易であるので安価な防爆型非接触ＩＣカードが得られる。
【００２０】
本発明の請求項５によれば、次のような効果がある。
カードケースは、皮革が使用されたので、皮革は、良好な電磁誘導性と帯電防止性を有し、市場性を有し入手容易であるので安価な防爆型非接触ＩＣカードが得られる。
【発明を実施するための最良の形態】
【００２１】
以下本発明を図面を用いて詳細に説明する。
図１は本発明の一実施例の要部構成説明図である。
図１において、非防爆型非接触ＩＣカード１は、ＩＣとアンテナコイルとを有する非防爆インレット１１と、この非防爆インレット１１の両側を保護する保護板１２とを有する。
帯電防止樹脂フィルム２は、非防爆型非接触ＩＣカード１を挟んで設けられ、電磁誘導性を有し、本質安全防爆構造規格を満足する。
【００２２】
帯電防止樹脂フィルム２は、電磁誘導性としては、例えば、非防爆非接触ＩＣカード１の無線通信から送受信電波を透過する性質等があげられる。
帯電防止樹脂フィルム２は、本質安全防爆構造規格を満足する性質、構造としては、例えば、発生する電気火花または高温部により爆発性ガスに点火しない性質、落下による衝撃により防爆構造を損なうような損傷を生じない構造等があげられる。
【００２３】
この場合は、例えば、帯電防止樹脂フィルム２は、樹脂体にカーボンが含有されている。
この場合は、例えば、非防爆型非接触ＩＣカード１は、85.72（幅）×54.03（高さ）×0.84（厚さ）ｍｍを有する。
帯電防止フィルム２で挟んだ場合の非防爆非接触ＩＣカード１の側面の表面積は、約234.8mm2で本質安全防爆構造規格を満足している。
【００２４】
また、非防爆型非接触ＩＣカード１を帯電防止樹脂フィルム２により両側から挟まれた図１実施例の防爆型非接触ＩＣカードは、この場合は、例えば、表面抵抗値は１Ｇオーム、表面積は４００mm2を有する。
また、例えば、帯電防止樹脂フィルム１は、帯電防止樹脂の表面をコロナ放電表面処理により改質し、接着を行うことによって耐久性が向上されている。
【００２５】
なお、非防爆型非接触ＩＣカード１の非接触ＩＣカードデータ送受信手順は、その通信手段としてIEC/ISO14443 Type A、IEC/ISO14443 Type B、IEC/ISO14443 Type C、IEC/ISO15693の機能を備えている。
【００２６】
この結果、
ＩＣとアンテナコイルとを有する非防爆インレット１１とこの非防爆インレット１１の両側を保護する保護板１２とを有する非防爆型非接触ＩＣカード１と、この非防爆型非接触ＩＣカード１を挟んで設けられ、電磁誘導性を有し本質安全防爆構造規格を満足する帯電防止樹脂フィルム２とが設けられたので、本質安全防爆が要求される危険場所において、安全に安価に使用できる防爆型非接触ＩＣカードが得られる。
【００２７】
市販の非接触ＩＣカード１を利用しているため、さまざまな非接触ＩＣカード１の規格へ容易に対応でき、非接触ＩＣカード１の急激な技術変化に素早く対応できる防爆型非接触ＩＣカードが得られる。
【００２８】
図２は、本発明の他の実施例の要部構成説明図である。
図２において、非防爆インレット２１は、ＩＣとアンテナコイルとを有する。
帯電防止樹脂層板２２は、非防爆インレット２１を挟んで設けられ、電磁誘導性を有し、本質安全防爆構造規格を満足する。
【００２９】
帯電防止樹脂層板２２は、電磁誘導性としては、例えば、非防爆非接触ＩＣカード１の無線通信から送受信電波を透過する性質等が上げられる。
帯電防止樹脂層板２２は、本質安全防爆構造規格を満足する性質、構造としては、例えば、発生する電気火花または高温部により爆発性ガスに点火しない性質、落下による衝撃により防爆構造を損なうような損傷を生じない構造等が上げられる。
【００３０】
この場合は、例えば、帯電防止樹脂層板２２は、樹脂体にカーボンが含有されている。
なお、非防爆型非接触ＩＣカード１の非接触ＩＣカードデータ送受信手順は、その通信手段としてIEC/ISO14443 Type A、IEC/ISO14443 Type B、IEC/ISO14443 Type C、IEC/ISO15693の機能を備えている。
【００３１】
この結果、
ＩＣとアンテナコイルとを有する非防爆インレット２１と、この非防爆インレット２１を挟んで設けられ、電磁誘導性を有し、本質安全防爆構造規格を満足する帯電防止樹脂層板２２とが設けられたので、非防爆インレット２１が使用できたので、本質安全防爆が要求される危険場所において、安全に、更に安価に使用でき、カード厚さを薄く確保できる防爆型非接触ＩＣカードが得られる。
【００３２】
市販の非防爆インレット２１を利用しているため、さまざまな非接触ＩＣカード規格へ容易に対応でき、非接触ＩＣカードの急激な技術変化に素早く対応できる防爆型非接触ＩＣカードが得られる。
【００３３】
図３は本発明の他の実施例の要部構成説明図、図４は図３のＡ-Ａ断面図である。
図において、カードケース３１は、少なくとも一方の端縁３１１が閉じられ、非防爆型非接触ＩＣカード３２が挿入されて収納可能で、電磁誘導性を有し、本質安全防爆構造規格を満足する帯電防止樹脂からなる。
【００３４】
カードケース３１は、電磁誘導性としては、例えば、非防爆非接触ＩＣカード１の無線通信から送受信電波を透過する性質等が上げられる。
カードケース３１は、本質安全防爆構造規格を満足する性質、構造としては、例えば、発生する電気火花または高温部により爆発性ガスに点火しない性質、落下による衝撃により防爆構造を損なうような損傷を生じない構造等が上げられる。
【００３５】
この場合は、例えば、三方の端縁３１１が閉じられている。なお、一方の端縁３１１（底側）のみが閉じられていれば良い。収納ケースの役目を果たすことができるからである。
３１２は取手である。
【００３６】
なお、非防爆型非接触ＩＣカード１の非接触ＩＣカードデータ送受信手順は、その通信手段としてIEC/ISO14443 Type A、IEC/ISO14443 Type B、IEC/ISO14443 Type C、IEC/ISO15693の機能を備えている。
【００３７】
また、この場合は、例えば、カードケース３１は、樹脂体にカーボンが含有されている。
また、カードケース３１は、皮革が使用されても良い。この場合は、例えば、非防爆型非接触ＩＣカード３２が落下しないように，２枚の皮革の底側３１１が、縫い合わされている。
カードケース３１で挟んだ場合の、非防爆非接触ＩＣカード３２の側面の表面積は、例えば、約234.8mm2以下であるので、本質安全防爆構造規格を満足している。
【００３８】
この結果、
少なくとも一方の端縁３１１が閉じられ、非防爆型非接触ＩＣカード３２が挿入されて収納可能で、電磁誘導性を有し、本質安全防爆構造規格を満足する帯電防止樹脂からなるカードケース３１が設けられたので、カードケース３１に非防爆型非接触ＩＣカード３２が挿入されれば良く、本質安全防爆が要求される危険場所において、安全に、安価に使用でき、利便性が向上された防爆型非接触ＩＣカードが得られる。
【００３９】
市販の非接触ＩＣカード３２を利用しているため、さまざまな非接触ＩＣカード規格へ容易に対応でき、非接触ＩＣカードの急激な技術変化に素早く対応できる防爆型非接触ＩＣカードが得られる。
【００４０】
カードケース３１は、樹脂体にカーボンが含有されているので、カーボンは、良好な電磁誘導性と帯電防止性を有し、市場性を有し入手容易であるので安価な防爆型非接触ＩＣカードが得られる。
【００４１】
カードケース３１は、皮革が使用されれば、皮革は、良好な電磁誘導性と帯電防止性を有し、市場性を有し入手容易であるので安価な防爆型非接触ＩＣカードが得られる。
【００４２】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００４３】
【図１】本発明の一実施例の要部構成説明図である。
【図２】本発明の他の実施例の要部構成説明図である。
【図３】本発明の他の実施例の要部構成説明図である。
【図４】図３の側断面図である。
【図５】非接触ＩＣカードを利用したシステム例である。
【符号の説明】
【００４４】
１ａ    制御用通信バス
２ａ    コントローラ
３ａ    入退室管理用ＰＣ
４ａ    非接触ＩＣカードリーダ
５ａ    防爆規格適合非接触ＩＣカードリーダ
６ａ    非接触ＩＣカード
１      非防爆型非接触ＩＣカード
１１    非防爆インレット
１２    保護板
２      帯電防止樹脂フィルム
２１    非防爆インレット
２２    帯電防止樹脂層板
３１    カードケース
３１１  端縁
３１２  取手
３２    非防爆型非接触ＩＣカード
Ａ      非危険場所
Ｂ      危険場所
【図１】
2009301155.tif 000003
【図２】
2009301155.tif 000004
【図３】
2009301155.tif 000005
【図４】
2009301155.tif 000006
【図５】
2009301155.tif 000007